(57)【要約】【課題】  本発明は、録画機器による予約番組の録画の失敗を格段に低減する。【解決手段】  本発明は、録画予約した受像機予約番組及びレコーダ予約番組を録画するテレビジョン受像機２及びハードディスクレコーダ６が当該受像機予約番組及びレコーダ予約番組の録画に対して録画不可能状態と判別すると、第１乃至第３の受像機状態通知アイコン４４乃至４６及び第１乃至第４のレコーダ状態通知アイコン４７乃至５０を表示することにより、テレビジョン受像機２及びハードディスクレコーダ６の録画不可能状態を第１乃至第３の受像機状態通知アイコン４４乃至４６及び第１乃至第４のレコーダ状態通知アイコン４７乃至５０によりユーザに通知して改善させ、テレビジョン受像機２及びハードディスクレコーダ６による録画の失敗を格段に低減できる。【選択図】        図９
2005080005.tif 000002
【特許請求の範囲】
【請求項１】
事前に録画予約した予約番組を録画する録画機器が当該予約番組の録画に対して録画不可能状態であるか否かを判別する状態判別手段と、
上記状態判別手段により上記録画機器が上記録画不可能状態と判別されると、当該録画不可能状態を示す状態通知表示子を表示する表示手段と
を具えることを特徴とする状態通知装置。
【請求項２】
上記状態判別手段は、
上記録画機器が上記予約番組の上記録画に対して上記録画不可能状態と判別したとき、当該録画不可能状態と判別する判別理由を特定し、
上記表示手段は、
上記状態判別手段により上記録画機器が上記録画不可能状態と判別されると、当該録画不可能状態と共に上記判別理由を示す上記状態通知表示子を表示する
ことを特徴とする請求項１に記載の状態通知装置。
【請求項３】
上記録画予約した上記予約番組の予約情報を記憶する記憶手段
を具え、
上記状態判別手段は、
上記録画機器が複数の上記予約番組の上記録画に対してそれぞれ上記録画不可能状態であるか否かを判別し、
上記表示手段は、
上記記憶手段から上記予約情報を読み出して一覧表示するようにして、上記状態判別手段により上記録画機器が上記録画不可能状態と判別されると、当該判別された上記録画不可能状態で録画されることになる上記予約番組の上記予約情報に上記状態通知表示子を対応付けて表示する
ことを特徴とする請求項２に記載の状態通知装置。
【請求項４】
事前に録画予約した予約番組を録画する録画機器が当該予約番組の録画に対して録画不可能状態であるか否かを判別する状態判別ステップと、
上記録画機器が上記録画不可能状態と判別されると、当該録画不可能状態を示す状態通知表示子を表示する表示ステップと
を具えることを特徴とする状態通知方法。
【請求項５】
コンピュータに、
事前に録画予約した予約番組を録画する録画機器が当該予約番組の録画に対して録画不可能状態であるか否かを判別する状態判別ステップと、
上記録画機器が上記録画不可能状態と判別されると、当該録画不可能状態を示す状態通知表示子を表示する表示ステップと
を実行させるための状態通知プログラム。
【発明の詳細な説明】
【技術分野】
【０００１】
本発明は状態通知装置に関し、例えば地上デジタルテレビジョン放送の番組を録画する番組録画システムに設けられたテレビジョン受像機に適用して好適なものである。
【背景技術】
【０００２】
従来のテレビジョン受像機は、放送局から送信された電子番組ガイド情報（EPG:Electronic Program Guide）を取得してモニタに表示し、その状態で電子番組ガイド情報から録画予約対象の番組（以下、これを予約番組と呼ぶ）を選択させて録画予約すると共に、再び電子番組ガイド情報を取得してモニタに表示するときには、当該電子番組ガイド情報に予約番組の識別情報を付加してその予約番組を確認させていた。
【０００３】
またテレビジョン受像機は、予約番組の予約情報を記憶しておき、放送時間帯が重複している予約番組が存在する場合、録画予約の優先度に対応する識別情報と共に予約情報をモニタに一覧表示することにより優先的に録画する予約番組を通知していた（例えば、特許文献１参照）。
【特許文献１】特開２００３−３７７９１公報（第４頁、第５頁、図９、図１２）
【発明の開示】
【発明が解決しようとする課題】
【０００４】
ところがかかる構成のテレビジョン受像機は、予約番組の放送日時や、放送時間帯の重複している予約番組のうち優先的に録画する予約番組のように予約番組に関する情報のみをユーザに通知しており、予約番組を録画するハードディスクレコーダのような録画機器が当該予約番組を録画し得ない録画不可能状態であっても何ら通知してはいないことにより、録画機器による予約番組の録画が失敗する場合があるという問題があった。
【０００５】
本発明は以上の点を考慮してなされたもので、録画機器による予約番組の録画の失敗を格段に低減し得る状態通知装置を提案しようとするものである。
【課題を解決するための手段】
【０００６】
かかる課題を解決するため本発明においては、事前に録画予約した予約番組を録画する録画機器が当該予約番組の録画に対して録画不可能状態であるか否かを判別し、その録画機器が録画不可能状態であると判別すると、表示手段に録画不可能状態を示す状態通知表示子を表示するようにした。
【０００７】
従って、録画機器が予約番組の録画に対して録画不可能状態であると、その録画不可能状態を状態通知表示子によってユーザに通知して、当該録画機器の録画不可能状態を予約番組の録画開始前に録画可能状態に改善させることができる。
【発明の効果】
【０００８】
本発明によれば、事前に録画予約した予約番組を録画する録画機器が当該予約番組の録画に対して録画不可能状態であるか否かを判別し、当該録画機器が録画不可能状態であると判別すると、表示手段に録画不可能状態を示す状態通知表示子を表示するようにしたことにより、録画機器の予約番組の録画に対する録画不可能状態を状態通知表示子によってユーザに通知して、当該録画機器の録画不可能状態を予約番組の録画開始前に録画可能状態に改善させることができ、かくして録画機器による予約番組の録画の失敗を格段に低減することができる。
【発明を実施するための最良の形態】
【０００９】
以下図面について、本発明の一実施の形態を詳述する。
【００１０】
図１において、１は全体として本発明を適用した番組録画システムを示し、テレビジョン受像機２にメモリスティック（ソニー株式会社  登録商標）３を抜差可能に装填し得ることにより、当該テレビジョン受像機２を地上デジタルテレビジョン放送受信用のアンテナ４でテレビジョン信号を受信して得られる各種番組のうち事前に録画予約した番組（以下、これを特に予約番組と呼ぶ）をメモリスティック３を用いて録画する録画機器として使用し得るようになされている。
【００１１】
また番組録画システム１は、テレビジョン受像機２にＩＥＥＥ（Institute of Electrical and Electronics Engineers ）１３９４規格に準拠したシリアルバス５を介して接続されたハードディスクレコーダ６も、予約番組をハードディスクを用いて録画する録画機器として使用し得るようになされている。
【００１２】
図２に示すように、テレビジョン受像機２は、内部の中央処理ユニット（CPU:Central Processing Unit ）２０がＲＯＭ（Random Access Memory）１１に予め格納している録画機器状態通知プログラム等の各種プログラムをＲＡＭ（Random Access Memory）１２上で展開し、リモートコントローラ（図示せず）から赤外線信号として送信される各種命令を赤外線受光部１４を介して取り込んでテレビジョン受像機２全体を統括的に制御することにより各種処理を実行する。
【００１３】
これにより中央処理ユニット１０は、番組視聴時にリモートコントローラを介して番組視聴用のチャンネルが選択されると、フロントエンド１５において、アンテナ４で受信している複数チャンネルのテレビジョン信号Ｓ１のうち、選択されたチャンネルのテレビジョン信号Ｓ１に所定の受信処理を施してデジタルのトランスポートストリームＴＳ１を生成する。
【００１４】
また中央処理ユニット１０は、デマルチプレクサ１６において、そのトランスポートストリームＴＳ１をバッファメモリ１７に一時的に保存して、例えばＩＣ（Integrated Circuit）カード（図示せず）から読み出したデスクランブルキーを用いてデスクランブル処理を施し、得られた番組視聴用トランスポートストリームから映像パケットデータＤ１及び音声パケットデータＤ２を分離する。
【００１５】
そして中央処理ユニット１０は、ビデオデコーダ１８において映像パケットデータＤ１を復号化処理し、得られたアナログの映像信号Ｓ２を表示部２０に送出して番組映像を表示すると共に、オーディオデコーダ１９において音声パケットデータＤ２を復号化処理し、得られたアナログの音声信号Ｓ３をスピーカ２１に送出して番組音声を出力することにより、ユーザに所望の番組を視聴させる。
【００１６】
また中央処理ユニット１０は、番組視聴時にリモートコントローラを介して電子番組ガイド情報の表示が要求されると、デマルチプレクサ１６において、このときフロントエンド１５から取り込んだトランスポートストリームＴＳ１に対してデスクランブル処理を施し、得られた番組視聴用トランスポートストリームから映像パケットデータＤ１及び音声パケットデータＤ２を分離すると共に、電子番組ガイド情報が格納されたパケットデータ（以下、これをＥＰＧパケットデータと呼ぶ）Ｄ３も分離し、当該デマルチプレクサ１６からＥＰＧパケットデータＤ３を一旦取り込んでビデオデコーダ１８に送出する。
【００１７】
そして中央処理ユニット１０は、ビデオデコーダ１８において映像パケットデータＤ１に応じた映像信号Ｓ２を生成すると共に、ＥＰＧパケットデータＤ３を復号化処理し、得られたアナログのＥＰＧ信号を映像信号Ｓ２と合成して表示部２０に送出することにより番組映像に電子番組ガイド情報を重畳して表示し、かくして番組視聴用に選択されているチャンネルの電子番組ガイド情報を見せる。
【００１８】
この状態で中央処理ユニット１０は、リモートコントローラを介して電子番組ガイド情報から予約番組が選択されると、ビデオデコーダ１８から、電子番組ガイド情報内の予約番組に対応する番組情報を取り込む。
【００１９】
この際に中央処理ユニット１０は、リモートコントローラを介して、テレビジョン受像機２とハードディスクレコーダ６との録画機器のうち予約番組の録画に使用する録画機器を選択させる。
【００２０】
これにより中央処理ユニット１０は、ビデオデコーダ１８から取り込んだ番組情報と、予約番組の録画に用いるように選択された録画機器を示す録画機器情報とを格納した予約情報を生成し、当該生成した予約情報を記憶部２３に記憶することによりテレビジョン受像機２及びハードディスクレコーダ６に対して予約番組を事前に録画予約する。
【００２１】
このようにして中央処理ユニット１０は、予約番組を録画予約した後、当該予約番組の放送開始時刻になると、予約情報に基づき、フロントエンド１５においてテレビジョン信号から予約番組のトランスポートストリームＴＳ２を生成すると共に、デマルチプレクサ１６においてそのトランスポートストリームＴＳ２にデスクランブル処理を施すことにより番組録画用トランスポートストリームＴＳ３を生成する。
【００２２】
そして中央処理ユニット１０は、予約番組の録画用にテレビジョン受像機２が選択されている場合、デマルチプレクサ１６から番組録画用トランスポートストリームＴＳ３をメモリスティックインターフェース部２４に送出し、当該メモリスティックインターフェース部２４においてメモリスティック３内の不揮発性メモリ（図示せず）に番組録画用トランスポートストリームＴＳ３を記録することにより、テレビジョン受像機２に対して録画予約していた予約番組（以下、これを受像機予約番組と呼ぶ）を録画する。
【００２３】
また中央処理ユニット１０は、予約番組の録画用にハードディスクレコーダ６が選択されている場合、デマルチプレクサ１６から番組録画用トランスポートストリームＴＳ３をＩＥＥＥインターフェース部２６及びシリアルバス５を順次介してハードディスクレコーダ６に送信する。
【００２４】
ハードディスクレコーダ６は、内部の制御部３０がハードディスクドライブ３１のハードディスクに予め格納している各種プログラムをＲＡＭ３２上で展開して各種処理を実行するようになされており、テレビジョン受像機２から送信された番組録画用トランスポートストリームＴＳ３をＩＥＥＥインターフェース部３３を介して取り込んでハードディスクに記録することにより、ハードディスクレコーダ６に対して録画予約していた予約番組（以下、これをレコーダ予約番組と呼ぶ）を録画する。
【００２５】
一方、中央処理ユニット１０は、番組再生時にリモートコントローラを介して、テレビジョン受像機２で録画した受像機予約番組が選択されたときには、メモリスティックインターフェース部２４を介してメモリスティック３内の不揮発性メモリから番組録画用トランスポートストリームＴＳ３を読み出してデマルチプレクサ１６に取り込む。
【００２６】
また中央処理ユニット１０は、リモートコントローラを介して、ハードディスクレコーダ６で録画したレコーダ予約番組が選択されたときには、ハードディスクレコーダ６においてハードディスクドライブ３１のハードディスクから再生した番組録画用トランスポートストリームＴＳ３をシリアルバス５及びＩＥＥＥインターフェース部２６を順次介してデマルチプレクサ１６に取り込む。
【００２７】
これにより中央処理ユニット１０は、デマルチプレクサ１６において上述した番組視聴時と同様に番組録画用トランスポートストリームＴＳ３から映像パケットデータＤ５及び音声パケットデータＤ６を分離すると共に、ビデオデコーダ１８及びオーディオデコーダ１９において当該映像パケットデータＤ５及び音声パケットデータＤ６を復号化処理し、かくして録画していた受像機予約番組及びレコーダ予約番組を表示部２０及びスピーカ２１を介して視聴させる。
【００２８】
かかる構成に加えてこのテレビジョン受像機２の場合、中央処理ユニット１０は、リモートコントローラを介して入力された起動命令に応じてテレビジョン受像機２を起動させると、ＲＯＭ１１から読み出した録画機器状態通知プログラムに従って図３に示す録画機器状態通知処理手順ＲＴ１を実行する。
【００２９】
中央処理ユニット１０は、録画機器状態通知処理手順ＲＴ１を実行すると、ステップＳＰ１においてテレビジョン受像機２に対して受像機予約番組を録画予約し、かつハードディスクレコーダ６に対してレコーダ予約番組を録画予約したか否かを判断し、否定結果を得ると、ステップＳＰ２に移ってテレビジョン受像機２に対してのみ受像機予約番組を録画予約したか否かを判断し、再び否定結果を得ると、ステップＳＰ３に移ってハードディスクレコーダ６に対してのみレコーダ予約番組を録画予約したか否かを判断することにより当該テレビジョン受像機２及びハードディスクレコーダ６の何れに対しても受像機予約番組及びレコーダ予約番組を録画予約していなければ、ステップＳＰ１−ＳＰ２−ＳＰ３の処理を循環的に繰り返して受像機予約番組及びレコーダ予約番組の録画予約を待ち受ける。
【００３０】
そしてステップＳＰ１において肯定結果が得られると、このことはテレビジョン受像機２に対して受像機予約番組を録画予約し、かつハードディスクレコーダ６に対してレコーダ予約番組を録画予約したことを表しており、このとき中央処理ユニット１０は、ステップＳＰ４に移って図４に示す第１のサブルーチンＳＲＴ１の受像機状態判別処理を実行すると共に、ステップＳＰ５に移って図５に示す第２のサブルーチンＳＲＴ２のレコーダ状態判別処理を実行する。
【００３１】
またステップＳＰ２において肯定結果が得られると、このことはテレビジョン受像機２に対してのみ受像機予約番組を録画予約したことを表しており、このとき中央処理ユニット１０は、ステップＳＰ４に移って第１のサブルーチンＳＲＴ１のみを実行する。
【００３２】
さらにステップＳＰ３において肯定結果が得られると、このことはハードディスクレコーダ６に対してのみレコーダ予約番組を録画予約したことを表しており、このとき中央処理ユニット１０は、ステップＳＰ５に移って第２のサブルーチンＳＲＴ２のみを実行する。
【００３３】
ここでまず中央処理ユニット１０は、テレビジョン受像機２にメモリスティック３が抜差しされる毎にメモリスティックインターフェース部２４を介してテレビジョン受像機２に対するメモリスティック３の装填の有無を検出している。
【００３４】
また中央処理ユニット１０は、メモリスティック３の外装面に追加記録許可位置及び追加記録禁止位置にスライド操作可能な誤消去防止スイッチが設けられ、当該誤消去防止スイッチが追加記録禁止位置にスライド操作されると、追加記録を禁止するように設定されてデータの上書きによる誤消去を防止させるようになされていることにより、テレビジョン受像機２にメモリスティック３が装填される毎に、メモリスティックインターフェース部２４を介してメモリスティック３の誤消去防止スイッチのスライド位置を検出している。
【００３５】
さらに中央処理ユニット１０は、テレビジョン受像機２にメモリスティック３が装填される毎、及びメモリスティック３内の不揮発性メモリに対して番組録画用トランスポートストリームＴＳ３を記録及び消去する毎にメモリスティックインターフェース部２４を介して当該不揮発性メモリの空領域を、受像機予約番組に対する録画可能な残り時間として検出している。
【００３６】
従って中央処理ユニット１０（図４）は、第１のサブルーチンＳＲＴ１の受像機状態判別処理を実行すると、ステップＳＰ４０において、テレビジョン受像機２に対するメモリスティック３の装填の有無の検出結果に基づいて、テレビジョン受像機２にメモリスティック３が装填されているか否かを判断する。
【００３７】
このステップＳＰ４０において肯定結果が得られると、このことはテレビジョン受像機２にメモリスティック３が装填されているものの、当該メモリスティック３内の不揮発性メモリに番組録画用トランスポートストリームＴＳ３を記録するための空領域が不足しているような場合があり、この時点ではテレビジョン受像機２が受像機予約番組を録画し得る録画可能状態と当該受像機予約番組を録画し得ない録画不可能状態との何れであるかを判別し難いことを表しており、このとき中央処理ユニット１０は、続くステップＳＰ４１に移る。
【００３８】
ステップＳＰ４１において中央処理ユニット１０は、メモリスティック３に対する誤消去防止スイッチのスライド位置の検出結果に基づいて、当該メモリスティック３が追加記録を許可するように設定されているか否かを判断する。
【００３９】
このステップＳＰ４１において肯定結果が得られると、このことはテレビジョン受像機２に、番組録画用トランスポートストリームＴＳ３の追加記録を許可するように設定されたメモリスティック３が装填されているものの、当該メモリスティック３内の不揮発性メモリに番組録画用トランスポートストリームＴＳ３を記録するための空領域が不足している場合があり、未だテレビジョン受像機２が録画可能状態及び録画不可能状態の何れであるかを判別し難いことを表しており、このとき中央処理ユニット１０は、続くステップＳＰ４２に移る。
【００４０】
ステップＳＰ４２において中央処理ユニット１０は、メモリスティック３内の不揮発性メモリに対する空領域（すなわち、受像機予約番組に対する録画可能な残り時間）の検出結果と、今後放送される個々の受像機予約番組の放送時間とに基づいて、不揮発性メモリに今後放送される全ての受像機予約番組の番組録画用トランスポートストリームＴＳ３を記録し得る空領域が存在するか否かを判断する。
【００４１】
このステップＳＰ４２において肯定結果が得られると、このことはテレビジョン受像機２に、番組録画用トランスポートストリームＴＳ３の追加記録を許可するように設定されたメモリスティック３が装填され、当該メモリスティック３の不揮発性メモリに全ての受像機予約番組の番組録画用トランスポートストリームＴＳ３を記録し得る空領域が存在していることにより、テレビジョン受像機２において、今後放送される全ての受像機予約番組を録画することができることを表しており、このとき中央処理ユニット１０は、ステップＳＰ４３に移る。
【００４２】
これによりステップＳＰ４３において中央処理ユニット１０は、テレビジョン受像機２を今後放送される全ての受像機予約番組を録画し得る録画可能状態と判別して、ステップＳＰ４４に移る。
【００４３】
これに対してステップＳＰ４０において否定結果が得られると、このことはテレビジョン受像機２に、番組録画用トランスポートストリームＴＳ３の記録先となるメモリスティック３が装填されてはいないことにより、このままユーザによりメモリスティック３を装填するように対処されなければ、テレビジョン受像機２において、今後放送される全ての受像機予約番組を録画することができないことを表しており、このとき中央処理ユニット１０は、ステップＳＰ４５に移る。
【００４４】
従ってステップＳＰ４５において中央処理ユニット１０は、テレビジョン受像機２をメモリスティック３の未装填（以下、これをメモリ未装填と呼ぶ）により、今後放送される全ての受像機予約番組の録画に対して録画不可能状態と判別した後、ステップＳＰ４４に移る。
【００４５】
またステップＳＰ４１において否定結果が得られると、このことはテレビジョン受像機２に、番組録画用トランスポートストリームＴＳ３の追加記録を禁止するように設定されたメモリスティック３が装填されていることにより、このままユーザによりメモリスティック３の追加記録を許可するように対処されなければ、テレビジョン受像機２において、今後放送される全ての受像機予約番組を録画することができないことを表しており、このとき中央処理ユニット１０は、ステップＳＰ４６に移る。
【００４６】
ステップＳＰ４６において中央処理ユニット１０は、上述したステップＳＰ４２と同様に不揮発性メモリに今後放送される全ての受像機予約番組の番組録画用トランスポートストリームＴＳ３を記録し得る空領域が存在するか否かを判断する。
【００４７】
このステップＳＰ４６において肯定結果が得られると、このことはテレビジョン受像機２に、番組録画用トランスポートストリームＴＳ３の追加記録を禁止するように設定されたメモリスティック３が装填されているものの、当該不揮発性メモリに全ての受像機予約番組の番組録画用トランスポートストリームＴＳ３を記録し得る空領域が存在していることを表しており、このとき中央処理ユニット１０は、ステップＳＰ４７に移る。
【００４８】
ステップＳＰ４７において中央処理ユニット１０は、テレビジョン受像機２をメモリスティック３に対する追加記録の禁止設定（以下、これを追加記録禁止設定と呼ぶ）のみにより、今後放送される全ての受像機予約番組の録画に対して録画不可能状態と判別した後、ステップＳＰ４４に移る。
【００４９】
またステップＳＰ４６において否定結果が得られると、このことはユーザによりメモリスティック３の追加記録を許可するように対処されても、これに合わせてメモリスティック３を新たなものと交換させ、又は不揮発性メモリから消去すべき番組録画用トランスポートストリームＴＳ３を選択させて消去することにより空領域を今以上に確保するように対処されなければ、テレビジョン受像機２において、今後受像機録画予約番組の放送される順番に従って先頭又は先頭以降の何れかの受像機予約番組から不揮発性メモリの空領域が不足して録画することができなくなることを表しており、このとき中央処理ユニット１０は、ステップＳＰ４８に移る。
【００５０】
ステップＳＰ４８において中央処理ユニット１０は、テレビジョン受像機２を追加記録禁止設定により、今後放送される全ての受像機予約番組の録画に対して録画不可能状態と判別すると共に、これに加えて受像機予約番組の録画を順次実行するうえで不揮発性メモリの空領域が不足して録画することができなくなる受像機予約番組の放送開始時刻からはテレビジョン受像機２を不揮発性メモリの空領域不足（以下、これをメモリ空領域不足と呼ぶ）でも録画不可能状態と判別した後、ステップＳＰ４４に移る。
【００５１】
さらにステップＳＰ４２において否定結果が得られると、このことはテレビジョン受像機２に番組録画用トランスポートストリームＴＳ３の追加記録を許可するように設定されたメモリスティック３が装填されているものの、ユーザによりメモリスティック３を新たなものと交換させ、又は不揮発性メモリから消去すべき番組録画用トランスポートストリームＴＳ３を選択させて消去することにより空領域を今以上に確保するように対処されなければ、テレビジョン受像機２において、受像機予約番組の放送される順番に従って先頭又は先頭以降の何れかの受像機予約番組から不揮発性メモリの空領域が不足して録画することができなくなることを表しており、このとき中央処理ユニット１０は、ステップＳＰ４９に移る。
【００５２】
従ってステップＳＰ４９において中央処理ユニット１０は、不揮発性メモリの空領域が不足せずに受像機予約番組を録画し得る間は、テレビジョン受像機２を受像機予約番組を録画し得る録画可能状態と判別し、不揮発性メモリの空領域が不足して録画することができなくなる受像機予約番組の放送開始時刻からは当該テレビジョン受像機２をメモリ空領域不足により受像機予約番組を録画し得ない録画不可能状態と判別して、ステップＳＰ４４に移る。
【００５３】
そしてステップＳＰ４４において中央処理ユニット１０は、テレビジョン受像機２を今後放送される全ての受像機予約番組の録画に対して録画可能状態と判別したときには、記憶部２３内の受像機予約番組の予約情報（以下、これを特に受像機予約情報と呼ぶ）全てにそれぞれ録画可能状態を示す録画可能情報を格納して当該受像機予約情報の内容を更新した後、第１のサブルーチンＳＲＴ１から抜けてステップＳＰ６（図３）に移る。
【００５４】
また中央処理ユニット１０は、テレビジョン受像機２を全て又は一部の受像機予約番組の録画に対して録画不可能状態と判別したときには、記憶部２３内の全ての受像機予約情報又は録画不可能状態と判別した放送開始時刻以降に放送される受像機予約番組の受像機予約情報に、録画可能情報に替えて録画不可能状態を示す録画不可能情報と、当該録画不可能状態と判別したときに特定したメモリ未装填、追加記録禁止設定及びメモリ空領域不足でなる判別理由の情報（以下、これを受像機状態判別理由情報と呼ぶ）とを格納して当該受像機予約情報の内容を更新した後、第１のサブルーチンＳＲＴ１から抜けてステップＳＰ６に移る。
【００５５】
さらに中央処理ユニット１０は、テレビジョン受像機２を録画不可能状態から移行して録画可能状態と判別したときには、記憶部２３内の受像機予約情報のうち当該録画不可能状態から移行した録画可能状態で録画することになる受像機予約番組の受像機予約情報に、録画不可能情報及び受像機状態判別理由情報に替えて録画可能情報を格納して当該受像機予約情報の内容を更新した後、第１のサブルーチンＳＲＴ１から抜けてステップＳＰ６に移る。
【００５６】
一方、中央処理ユニット１０は、テレビジョン受像機２にシリアルバス５を介して機器が接続される毎にＩＥＥＥインターフェース部２６を介して機器の接続の有無を検出すると共に、当該シリアルバス５を介して機器が接続されたときには、ＩＥＥＥインターフェース部２６を介してその機器に当該機器固有の識別情報を要求し、その結果得られた識別情報を、記憶部２３に予め記憶しているハードディスクレコーダ６固有の識別情報と比較して、テレビジョン受像機２に接続された機器がハードディスクレコーダ６であるか否かを検出している。
【００５７】
また中央処理ユニット１０は、テレビジョン受像機２にシリアルバス５を介してハードディスクレコーダ６が接続されると、ＩＥＥＥインターフェース部２６を介してハードディスクレコーダ６との間で定期的に通信状態確認用の通信処理を実行して通信エラーの発生の有無を検出している。
【００５８】
さらに中央処理ユニット１０は、テレビジョン受像機２にシリアルバス５を介してハードディスクレコーダ６が接続される毎、及び当該ハードディスクレコーダ６のハードディスクに対して番組録画用トランスポートストリームＴＳ３を記録及び消去する毎にＩＥＥＥインターフェース部２６を介してハードディスクの空領域を、レコーダ予約番組に対する録画可能な残り時間として検出している。
【００５９】
従って中央処理ユニット１０（図５）は、第２のサブルーチンＳＲＴ２のレコーダ状態判別処理を実行すると、ステップＳＰ５０において、テレビジョン受像機２に対する機器の接続の有無の検出結果及び当該テレビジョン受像機２に接続された機器がハードディスクレコーダ６であるか否かの検出結果に基づいて、テレビジョン受像機２にハードディスクレコーダ６が接続されているか否かを判断する。
【００６０】
このステップＳＰ５０において肯定結果が得られると、このことはテレビジョン受像機２にシリアルバス５を介してハードディスクレコーダ６が接続されているものの、当該ハードディスクレコーダ６のハードディスクに番組録画用トランスポートストリームＴＳ３を記録するための空領域が不足しているような場合があり、この時点ではハードディスクレコーダ６がレコーダ予約番組を録画し得る録画可能状態と当該レコーダ予約番組を録画し得ない録画不可能状態との何れであるかを判別し難いことを表しており、このとき中央処理ユニット１０は、続くステップＳＰ５１に移る。
【００６１】
ステップＳＰ５１において中央処理ユニット１０は、通信エラーの発生の有無の検出結果に基づいて、ハードディスクレコーダ６と良好に通信し得るか否かを判断する。
【００６２】
このステップＳＰ５１において肯定結果が得られると、このことはハードディスクレコーダ６の故障やシリアルバス５の破損がなくテレビジョン受像機２とハードディスクレコーダ６とがシリアルバス５を介して良好に通信し得るものの、当該ハードディスクレコーダ６のハードディスクに番組録画用トランスポートストリームＴＳ３を記録するための空領域が不足している場合があり、未だハードディスクレコーダ６が録画可能状態及び録画不可能状態の何れであるかを判別し難いことを表しており、このとき中央処理ユニット１０は、続くステップＳＰ５２に移る。
【００６３】
ステップＳＰ５２において中央処理ユニット１０は、ハードディスクに対する空領域（すなわち、レコーダ予約番組に対する録画可能な残り時間）の検出結果と、レコーダ予約番組の放送時間とに基づいて、ハードディスクに、今後放送される全てのレコーダ予約番組の番組録画用トランスポートストリームＴＳ３を記録し得る空領域が存在するか否かを判断する。
【００６４】
このステップＳＰ５２において肯定結果が得られると、このことはテレビジョン受像機２にシリアルバス５を介して接続されたハードディスクレコーダ６との間で良好に通信することができると共に、ハードディスクに全てのレコーダ予約番組の番組録画用トランスポートストリームＴＳ３を記録し得る空領域が存在していることにより、ハードディスクレコーダ６において、今後放送される全てのレコーダ予約番組を録画することができることを表しており、このとき中央処理ユニット１０は、ステップＳＰ５３に移る。
【００６５】
これによりステップＳＰ５３において中央処理ユニット１０は、ハードディスクレコーダ６を今後放送される全てのレコーダ予約番組の録画に対して録画可能状態と判別して、ステップＳＰ５４に移る。
【００６６】
これに対してステップＳＰ５０において否定結果が得られると、このことはテレビジョン受像機２に番組録画用トランスポートストリームＴＳ３の記録先となるハードディスクレコーダ６も含めて何ら機器が接続されてはいない、又はハードディスクレコーダ６に替えて録画機器とは異なる例えばＤＶＤ（Digital Versatile Disc）プレーヤのような他の機器が接続されていることにより、このままユーザによりハードディスクレコーダ６を接続するように対処されなければ、ハードディスクレコーダ６において、今後放送される全てのレコーダ予約番組を録画することができないことを表しており、このとき中央処理ユニット１０は、ステップＳＰ５５に移る。
【００６７】
ステップＳＰ５５において中央処理ユニット１０は、テレビジョン受像機２に何ら機器が接続されていないときには、ハードディスクレコーダ６をテレビジョン受像機６に対する未接続（以下、これをレコーダ未接続と呼ぶ）により、今後放送される全てのレコーダ予約番組の録画に対して録画不可能状態と判別する。
【００６８】
一方、中央処理ユニット１０は、テレビジョン受像機２に対してハードディスクレコーダ６に替えて他の機器が接続されているときには、ハードディスクレコーダ６を他の機器との交換（以下、これを機器交換と呼ぶ）により、今後放送される全てのレコーダ予約番組の録画に対して録画不可能状態と判別した後、ステップＳＰ５４に移る。
【００６９】
またステップＳＰ５１において否定結果が得られると、このことはハードディスクレコーダ６の故障やシリアルバス５の破損によりテレビジョン受像機２とハードディスクレコーダ６との間で通信エラーが発生し、当該ハードディスクレコーダ６に番組録画用トランスポートストリームＴＳ３を正常に送信することができないことにより、このままユーザによりハードディスクレコーダ６の修理やシリアルバス５を交換するように対処されなければ、ハードディスクレコーダ６において、今後放送される全てのレコーダ予約番組を録画することができないことを表しており、このとき中央処理ユニット１０は、ステップＳＰ５６に移る。
【００７０】
そしてステップＳＰ５６において中央処理ユニット１０は、ハードディスクレコーダ６をテレビジョン受像機２との間で発生した通信エラーにより、今後放送される全てのレコーダ予約番組の録画に対して録画不可能状態と判別した後、ステップＳＰ５４に移る。
【００７１】
さらにステップＳＰ５２において否定結果が得られると、このことはユーザによりハードディスクから消去すべき番組録画用トランスポートストリームＴＳ３を選択させて消去することにより空領域を今以上に確保するように対処されなければ、ハードディスクレコーダ６において、今後レコーダ予約番組の放送される順番に従って先頭又は先頭以降の何れかのレコーダ予約番組からハードディスクの空領域が不足して録画することができなくなることを表しており、このとき中央処理ユニット１０は、ステップＳＰ５７に移る。
【００７２】
ステップＳＰ５７において中央処理ユニット１０は、ハードディスクの空領域が不足せずにレコーダ予約番組を録画し得る間はハードディスクレコーダ６を録画可能状態と判別し、レコーダ予約番組の録画を順次実行していくうえでハードディスクの空領域が不足して録画することができなくなるレコーダ予約番組の放送開始時刻からは当該ハードディスクレコーダ６をハードディスクの空領域不足（以下、これをディスク空領域不足と呼ぶ）により録画不可能状態と判別した後、ステップＳＰ５４に移る。
【００７３】
そしてステップＳＰ５４において中央処理ユニット１０は、ハードディスクレコーダ６を今後放送される全てのレコーダ予約番組の録画に対して録画可能状態と判別したときには、記憶部２３内のレコーダ予約番組の予約情報（以下、これを特にレコーダ予約情報と呼ぶ）全てにそれぞれ録画可能情報を格納して当該レコーダ予約情報の内容を更新した後、第２のサブルーチンＳＲＴ２から抜けてステップＳＰ６（図３）に移る。
【００７４】
また中央処理ユニット１０は、ハードディスクレコーダ６を全て又は一部のレコーダ予約番組の録画に対して録画不可能状態と判別したときには、記憶部２３内の全てのレコーダ予約情報又は録画不可能状態と判別した放送開始時刻以降に放送されるレコーダ予約番組のレコーダ予約情報に、録画可能情報に替えて録画不可能情報と、当該録画不可能状態と判別したときに特定したメモリ未装填、機器交換、追加記録禁止設定及びメモリ空領域不足でなる判別理由の情報（以下、これをレコーダ状態判別理由情報と呼ぶ）とを格納して当該レコーダ予約情報の内容を更新した後、第２のサブルーチンＳＲＴ２から抜けてステップＳＰ６に移る。
【００７５】
さらに中央処理ユニット１０は、ハードディスクレコーダ６が録画不可能状態から移行して録画可能状態と判別したときには、記憶部２３内のレコーダ予約情報のうち当該録画不可能状態から移行した録画可能状態で録画することになるレコーダ予約番組のレコーダ予約情報に、録画不可能情報及びレコーダ状態判別理由情報に替えて録画可能情報を格納して当該レコーダ予約情報の内容を更新した後、第２のサブルーチンＳＲＴ２から抜けてステップＳＰ６に移る。
【００７６】
ステップＳＰ６において中央処理ユニット１０は、ユーザによりリモートコントローラを介して受像機予約情報及びレコーダ予約情報の一覧表でなる予約一覧画面の表示が要求されたか否かを判断し、否定結果を得ると、ステップＳＰ１に戻って当該ステップＳＰ１−ＳＰ２−ＳＰ３−ＳＰ４−ＳＰ５−ＳＰ６の処理を循環的に繰り返すことにより、テレビジョン受像機２及びハードディスクレコーダ６に対する録画予約を順次受け付けると共に、当該テレビジョン受像機２及びハードディスクレコーダ６が録画不可能状態であるか否かを判別しながら予約一覧画面の表示要求を待ち受ける。
【００７７】
そしてステップＳＰ６において肯定結果が得られると、このことはユーザにより予約一覧画面を見てテレビジョン受像機２及びハードディスクレコーダ６に対する受像機予約番組及びレコーダ予約番組の録画予約状況と、当該テレビジョン受像機２及びハードディスクレコーダ６の状態とを確認するように要求されたことを表しており、このとき中央処理ユニット１０は、ステップＳＰ７に移る。
【００７８】
ステップＳＰ７おいて中央処理ユニット１０は、記憶部２３から受像機予約情報及びレコーダ予約情報を全て読み出し、当該読み出した受像機予約情報及びレコーダ予約情報にそれぞれ録画可能情報が格納されているときには、これら全ての受像機予約情報及びレコーダ予約情報に基づいて予約一覧画面データＤ１０を生成し、これをビデオレコーダ１８を介して表示部２０に送出することにより図６に示すような予約一覧画面４０を表示する。
【００７９】
予約一覧画面４０は、当該予約一覧画面４０の垂直方向に沿って、予約番組毎の予約情報表示欄４１Ａ乃至４１Ｆが並べられて配置され、これら各予約情報表示欄４１Ａ乃至４１Ｆにそれぞれ予約一覧画面４０の水平方向に沿って放送日表示部４１ＡＸ乃至４１ＦＸ、番組情報表示部４１ＡＹ乃至４１ＦＹ及び録画機器状態通知部４１ＡＺ乃至４１ＦＺが並べて設けられている。
【００８０】
この場合、中央処理ユニット１０は、各予約情報表示欄４１Ａ乃至４１Ｆに、受像機予約番組及びレコーダ予約番組の放送日時の順番に従って受像機予約情報及びレコーダ予約情報を順番に割り当て、放送日表示部４１ＡＸ乃至４１ＦＸにそれぞれ受像機予約番組及びレコーダ予約番組の放送日を表示すると共に、番組情報表示部４１ＡＹ乃至４１ＦＹにそれぞれ受像機予約番組及びレコーダ予約番組のチャンネル、番組名、放送開始時刻及び放送終了時刻を表示する。
【００８１】
また中央処理ユニット１０は、受像機予約情報を割り当てた予約情報表示欄（以下、これを特に受像機予約情報表示欄と呼ぶ）４１Ｅ及び４１Ｆの録画機器状態通知部４１ＥＺ及び４１ＦＺにテレビジョン受像機２を示す「ＴＶ」という受像機通知文字４２を表示すると共に、レコーダ予約情報を割り当てた予約情報表示欄（以下、これをレコーダ予約情報表示欄と呼ぶ）４１Ａ乃至４１Ｄの録画機器状態通知部４１ＡＺ乃至４１ＤＺにハードディスクレコーダ６を示す「ＨＤＲ」というレコーダ通知文字４３を表示することにより受像機予約番組及びレコーダ予約番組と、これを録画する録画機器（すなわち、テレビジョン受像機２及びハードディスクレコーダ６）とを対応させてユーザに通知する。
【００８２】
さらに中央処理ユニット１０は、テレビジョン受像機２及びハードディスクレコーダ６をそれぞれ録画可能状態と判別している間は、録画機器状態通知部４１ＡＺ乃至４１ＦＺに、表示によって録画不可能状態を示す状態通知表示子（以下、これを状態通知アイコンと呼ぶ）をなんら表示しないことにより、当該テレビジョン受像機２及びハードディスクレコーダ６が録画可能状態であることを通知する。
【００８３】
これに対して図７に示すように、中央処理ユニット１０は記憶部２３に、テレビジョン受像機２の録画不可能状態を示す状態通知アイコン（以下、これを特に受像機状態通知アイコンと呼ぶ）として、長方形状の１隅を欠けさせたメモリスティック記号にメモリ未装填を表すバツ印を重ねることでメモリ未装填による録画不可能状態を示す第１の受像機状態通知アイコン４４と、メモリスティック記号内に追加記録禁止設定を表す「ＬＯＣＫ」という文字を入れることで追加記録禁止設定による録画不可能状態を示す第２の受像機状態通知アイコン４５と、メモリスティック記号内に不揮発性メモリの空領域不足を表す「ＦＵＬＬ」という文字を入れることでメモリ空領域不足による録画不可能状態を示す第３の受像機状態通知アイコン４６とを、第１乃至第３の受像機状態通知アイコンデータとして予め受像機状態判別理由情報と対応付けて記憶している。
【００８４】
また図８に示すように、中央処理ユニット１０は記憶部２３に、ハードディスクレコーダ６の録画不可能状態を示す状態通知アイコン（以下、これを特にレコーダ状態通知アイコンと呼ぶ）として、長方形状のハードディスクレコーダ記号内にレコーダ通知文字を入れ、かつ当該ハードディスクレコーダ記号にレコーダ未接続を表すバツ印を重ねることでレコーダ未接続による録画不可能状態を示す第１のレコーダ状態通知アイコン４７と、テレビジョン受像機２に他の機器が接続されていることを表す矢印記号内にレコーダ通知文字を入れることで機器交換による録画不可能状態を示す第２のレコーダ状態通知アイコン４８と、「ｉ」という文字によりＩＥＥＥ１３９４規格に準拠したシリアルバス５を表すバス記号に通信エラーを表すバツ印を重ねることで通信エラーによる録画不可能状態を示す第３のレコーダ状態通知アイコン４９と、樽型のハードディスク記号内にハードディスクの空領域不足を表す「ＦＵＬＬ」という文字を入れることでディスク空領域不足による録画不可能状態を示す第４のレコーダ状態通知アイコン５０とを、第１乃至第４のレコーダ状態通知アイコンデータとして予めレコーダ状態判別理由情報と対応付けて記憶している。
【００８５】
従ってステップＳＰ６において中央処理ユニット１０は、予約一覧画面の表示要求に応じて記憶部２３から読み出した受像機予約情報及びレコーダ予約情報に録画不可能情報と共に受像機状態判別理由情報及びレコーダ状態判別理由情報を格納しているときには、当該記憶部２３から対応する第１乃至第３の受像機状態通知アイコンデータ及び第１乃至第４のレコーダ状態通知アイコンデータも読み出し、これら受像機予約情報及びレコーダ予約情報並びに第１乃至第３の受像機状態通知アイコンデータ及び第１乃至第４のレコーダ状態通知アイコンデータに基づいて予約一覧画面データＤ１１を生成し、これをビデオデコーダ１８を介して表示部２０に送出することにより図９乃至図１６に示すような予約一覧画面５１乃至５８を表示する。
【００８６】
これにより中央処理ユニット１０は、テレビジョン受像機２をメモリ未装填により録画不可能状態と判別しているときには、予約一覧画面５１内において全ての受像機予約情報表示欄４１Ｅ及び４１Ｆの録画機器状態通知部４１ＥＺ及び４１ＦＺにそれぞれ第１の受像機状態通知アイコン４４を表示することにより、テレビジョン受像機２がメモリスティック３の未装填により、今後放送される全ての受像機録画予約番組の録画に対して録画不可能状態であることをユーザに通知する（図９）。
【００８７】
また中央処理ユニット１０は、テレビジョン受像機２を追加記録禁止設定により録画不可能状態と判別しているときには、予約一覧画面５２内において全ての受像機予約情報表示欄４１Ｅ及び４１Ｆの録画機器状態通知部４１ＥＺ及び４１ＦＺにそれぞれ第２の受像機状態通知アイコン４５を表示することにより、テレビジョン受像機２がメモリスティック３に対する追加記録の禁止設定により、今後放送される全ての受像機予約番組の録画に対して録画不可能状態であることをユーザに通知する（図１０）。
【００８８】
さらに中央処理ユニット１０は、テレビジョン受像機２をメモリ空領域不足により録画不可能状態と判別しているときには、予約一覧画面５３内において全ての受像機予約情報表示欄４１Ｅ及び４１Ｆのうち、不揮発性メモリの空領域が不足して録画することができない受像機予約番組に対応する受像機予約情報表示欄４１Ｆの録画機器状態通知部４１ＦＺにのみ第３の受像機状態通知アイコン４６を表示することにより、テレビジョン受像機２がメモリスティック３の空領域が不足して、今後放送される１又は複数の受像機予約番組の録画に対して録画不可能状態となることをユーザに通知する（図１１）。
【００８９】
これに加えて中央処理ユニット１０は、図４について上述したように、テレビジョン受像機２を追加記録禁止設定及びメモリ空領域不足の両方により録画不可能状態と判別しているときには、予約一覧画面５４内において受像機予約情報表示欄４１Ｅ及び４１Ｆの録画機器状態通知部４１ＥＺ及び４１ＦＺにそれぞれ第２及び第３の受像機状態通知アイコン４５及び４６を混在して表示することにより、テレビジョン受像機２がメモリスティック３に対する追加記録の禁止設定により、今後放送される全ての受像機予約番組の録画に対して録画不可能状態であること、及びテレビジョン受像機２がメモリスティック３の空領域が不足して、今後放送される１又は複数の受像機予約番組の録画に対して録画不可能状態となることを合わせてユーザに通知する（図１２）。
【００９０】
一方、中央処理ユニット１０は、ハードディスクレコーダ６をレコーダ未接続により録画不可能状態と判別しているときには、予約一覧画面５５内において全てのレコーダ予約情報表示欄４１Ａ乃至４１Ｄの録画機器状態通知部４１ＡＺ乃至４１ＤＺにそれぞれ第１のレコーダ状態通知アイコン４７を表示することにより、ハードディスクレコーダ６がテレビジョン受像機２に対する未接続により、今後放送される全てのレコーダ予約番組の録画に対して録画不可能状態であることをユーザに通知する（図１３）。
【００９１】
また中央処理ユニット１０は、ハードディスクレコーダ６を機器交換により録画不可能状態と判別しているときには、予約一覧画面５６内において全てのレコーダ予約情報表示欄４１Ａ乃至４１Ｄの録画機器状態通知部４１ＡＺ乃至４１ＤＺにそれぞれ第２のレコーダ状態通知アイコン４８を表示することにより、ハードディスクレコーダ６が他の機器と交換されたことにより、今後放送される全てのレコーダ予約番組の録画に対して録画不可能状態であることをユーザに通知する（図１４）。
【００９２】
さらに中央処理ユニット１０は、ハードディスクレコーダ６を通信エラーにより録画不可能状態と判別しているときには、予約一覧画面５７内において全てのレコーダ予約情報表示欄４１Ａ乃至４１Ｄの録画機器状態通知部４１ＡＺ乃至４１ＤＺにそれぞれ第３のレコーダ状態通知アイコン４９を表示することにより、ハードディスクレコーダ６がテレビジョン受像機２との間の通信エラーにより、今後放送される全てのレコーダ予約番組の録画に対して録画不可能状態であることをユーザに通知する（図１５）。
【００９３】
さらに中央処理ユニット１０は、ハードディスクレコーダ６をディスク空領域不足により録画不可能状態と判別しているときには、予約一覧画面５８内において全てのレコーダ予約情報表示欄４１Ａ乃至４１Ｄのうち、ハードディスクの空領域が不足して録画することができないレコーダ予約番組に対応するレコーダ予約情報表示欄４１Ｃ及び４１Ｄの録画機器状態通知部４１ＣＺ及び４１ＤＺにのみ第４のレコーダ状態通知アイコン５０を表示することにより、ハードディスクレコーダ６がハードディスクの空領域が不足して、今後放送される１又は複数のレコーダ予約番組の録画に対して録画不可能状態となることをユーザに通知する（図１６）。
【００９４】
これに加えて中央処理ユニット１０は、テレビジョン受像機２及びハードディスクレコーダ６の両方を録画不可能状態と判別したときには、受像機状態判別理由情報及びレコーダ状態判別理由情報に応じて受像機予約情報表示欄４１Ｅ及び４１Ｆ並びにレコーダ予約情報表示欄４１Ａ乃至４１Ｄの録画機器状態通知部４１ＡＺ乃至４１ＦＺにそれぞれ第１乃至第３の受像機状態通知アイコン４４乃至４６及び第１乃至第４のレコーダ状態通知アイコン４７乃至５０を組み合せて表示することにより、テレビジョン受像機２及びハードディスクレコーダ６がそれぞれ録画不可能状態であることと、その理由とをユーザに通知する。
【００９５】
このようにして中央処理ユニット１０は、表示部２０に予約一覧画面４０及び５１乃至５８を表示すると、ステップＳＰ８に移り、当該予約一覧画面４０及び５１乃至５８の表示を終了するか否かを判断し、否定結果が得られると、ステップＳＰ１に戻って当該ステップＳＰ１−ＳＰ２−ＳＰ３−ＳＰ４−ＳＰ５−ＳＰ６−ＳＰ７−ＳＰ８の処理を循環的に繰り返すことにより、ユーザに録画予約状況を確認させながらテレビジョン受像機２及びハードディスクレコーダ６に対する録画可能状態及び録画不可能状態を通知する。
【００９６】
また中央処理ユニット１０は、表示部２０にテレビジョン受像機２及びハードディスクレコーダ６の録画不可能状態を通知する予約一覧画面５１乃至５７を表示しながら、かかる処理を循環的に繰り返して実行している間に、ユーザによりテレビジョン受像機２にメモリスティック３が装填され、又はテレビジョン受像機２にシリアルバス５を介してハードディスクレコーダ６が接続される等して録画不可能状態が録画可能状態に改善されると、その時点で予約一覧画面５１乃至５８内の各録画機器状態通知部４１ＡＺ乃至４１ＦＺからそれぞれ第１乃至第３の受像機状態通知アイコン４４乃至４６及び第１乃至第４のレコーダ状態通知アイコン４７乃至５０を消去する（すなわち、表示部２０に図６について上述した予約一覧画面４０を表示する）ことにより、ユーザに録画可能状態に移行したことをリアルタイムに通知する。
【００９７】
そしてステップＳＰ８において肯定結果が得られると、このことはユーザにより録画予約状況と、テレビジョン受像機２及びハードディスクレコーダ６の状態が確認された結果、リモートコントローラを介して予約一覧画面４０及び５１乃至５８の表示終了命令が入力されたことを表しており、このとき中央処理ユニット１０は、ステップＳＰ９に移る。
【００９８】
ステップＳＰ９において中央処理ユニット１０は、テレビジョン受像機２の起動を停止させるか否かを判断し、否定結果を得ると、ステップＳＰ１に戻って当該ステップＳＰ１−ＳＰ２−ＳＰ３−ＳＰ４−ＳＰ５−ＳＰ６−ＳＰ７−ＳＰ８−ＳＰ９の処理を循環的に繰り返しながら起動停止命令の入力を待ち受け、当該起動停止命令が入力されて肯定結果を得ると、続くステップＳＰ１０に移ってこの録画機器状態通知処理手順ＲＴ１を終了する。
【００９９】
以上の構成において、テレビジョン受像機２は、当該テレビジョン受像機２に対して受像機予約番組が録画予約されると、テレビジョン受像機２が今後放送される受像機予約番組の録画に対して録画不可能状態であるか否かを理由を特定して判別する（ステップＳＰ４）と共に、ハードディスクレコーダ６に対してレコーダ予約番組が録画予約されると、ハードディスクレコーダ６が今後放送されるレコーダ予約番組の録画に対して録画不可能状態であるか否かを理由を特定して判別する（ステップＳＰ５）。
【０１００】
そしてテレビジョン受像機２は、当該テレビジョン受像機２及びハードディスクレコーダ６を録画不可能状態と判別した後に予約情報の一覧表示が要求されると、これに応じて表示部２０に表示する予約一覧画面５１乃至５８において受像機予約情報表示欄４１Ｅ及び４１Ｆ並びにレコーダ予約情報表示欄４１Ａ乃至４１Ｄの録画機器状態通知部４１ＡＺ乃至４１ＦＺに、当該録画不可能状態と共に判別理由を示す第１乃至第３の受像機状態通知アイコン４４乃至４６及び第１乃至第４のレコーダ状態通知アイコン４７乃至５０を表示してユーザにテレビジョン受像機２及びハードディスクレコーダ６の録画不可能状態及び判別理由を通知する（ステップＳＰ６乃至ステップＳＰ８）。
【０１０１】
従ってテレビジョン受像機２は、当該テレビジョン受像機２に対する録画不可能状態及び判別理由をユーザに通知することで、ユーザにその判別理由に応じてテレビジョン受像機２に追加記録を許可するように設定したメモリスティック３を装填させ、又は消去すべき受像機予約番組を選択させ、さらにはテレビジョン受像機２に対して録画予約した受像機予約番組を当該テレビジョン受像機２に替えてハードディスクレコーダ６で録画するように録画予約先を変更させるように的確に対処させて録画不可能状態を録画可能状態に改善させることができる。
【０１０２】
またテレビジョン受像機２は、ハードディスクレコーダ６に対する録画不可能状態及び判別理由をユーザに通知することで、ユーザにその判別理由に応じてテレビジョン受像機２にハードディスクレコーダ６を接続させ、又はハードディスクレコーダ６を修理及び又はシリアルバス５を交換させ、さらには消去すべきレコーダ予約番組を選択させ、さらにまたハードディスクレコーダ６に対して録画予約した受像機予約番組を当該ハードディスクレコーダ６に替えてテレビジョン受像機２で録画するように録画予約先を変更させるように的確に対処させて録画不可能状態を録画可能状態に改善させることができる。
【０１０３】
そしてテレビジョン受像機２は、当該テレビジョン受像機２及びハードディスクレコーダ６の録画不可能状態と共に判別理由をユーザに通知した結果、ユーザの対処により録画不可能状態が録画可能状態に改善されると、その時点で録画可能状態への移行を受像機予約情報及びレコーダ予約情報に反映させると共に、表示部２０に予約一覧画面５１乃至５８を表示しているときに録画可能状態に移行すると、受像機予約情報表示欄４１Ｅ及び４１Ｆ並びにレコーダ予約情報表示欄４１Ａ乃至４１Ｄの録画機器状態通知部４１ＡＺ乃至４１ＦＺからこれに表示していた第１乃至第３の受像機状態通知アイコン４４乃至４６及び第１乃至第４のレコーダ状態通知アイコン４７乃至５０を消去してユーザに録画不可能状態が改善されて録画可能状態に移行したことをリアルタイムに通知する（ステップＳＰ４乃至ステップＳＰ８）。
【０１０４】
以上の構成によれば、テレビジョン受像機２及びハードディスクレコーダ６に対して受像機予約番組及びレコーダ予約番組を録画予約すると、当該テレビジョン受像機２及びハードディスクレコーダ６が受像機予約番組及びレコーダ予約番組の録画に対して録画不可能状態であるか否かを判別し、その結果録画不可能状態であると判別すると、その後、予約情報の一覧表示が要求されたとき、表示部２０に表示する予約一覧画面５１乃至５８内の第１乃至第３の受像機状態通知アイコン４４乃至４６及び第１乃至第４のレコーダ状態通知アイコン４７乃至５０によりユーザに録画不可能状態を通知するようにしたことにより、ユーザに受像機予約番組及びレコーダ予約番組の録画開始前にテレビジョン受像機２及びハードディスクレコーダ６の録画不可能状態を録画可能状態に改善させることができ、かくしてテレビジョン受像機２及びハードディスクレコーダ６による受像機予約番組及びレコーダ予約番組の録画の失敗を格段に低減し得る番組録画システム１を実現することができる。
【０１０５】
またテレビジョン受像機２は、テレビジョン受像機２及びハードディスクレコーダ６に対して判別理由を特定したうえで録画不可能状態であると判別し、予約一覧画面５１乃至５８内の録画機器状態通知部４１ＡＺ乃至４１ＦＺに録画不可能状態と共に判別定理由を示す第１乃至第３の受像機状態通知アイコン４４乃至４６及び第１乃至第４のレコーダ状態通知アイコン４７乃至５０を表示してユーザに録画不可能状態と共に判別理由を通知するようにしたことにより、ユーザにテレビジョン受像機２及びハードディスクレコーダ６に対する録画不可能状態の改善内容を調べさせることなく、当該録画不可能状態を迅速かつ的確に改善させて受像機予約番組及びレコーダ予約番組の録画の失敗を格段に低減することができる。
【０１０６】
さらにテレビジョン受像機２は、テレビジョン受像機２及びハードディスクレコーダ６に対してメモリ空領域不足及びディスク空領域不足により録画不可能状態であると判別した場合、予約一覧画面５１乃至５８により、録画予約していた全ての受像機予約番組及びレコーダ予約番組のうちメモリ空領域不足及びディスク空領域不足により録画することができない受像機予約番組及びレコーダ予約番組に対応させて第３の受像機状態通知アイコン４６及び第４のレコーダ状態通知アイコン５０を表示するようにしたことにより、録画することができない受像機予約番組及びレコーダ予約番組の放送開始時刻により、いつまでにメモリ空領域不足及びディスク空領域不足を改善すれば良いよいのかを的確に通知して、メモリスティック３の不揮発性メモリ及びハードディスクレコーダ６のハードディスクから空領域を確保するために消去する番組録画用トランスポートストリームＴＳ３を厳選させることができ、かくして不在や保存用にせっかく予約録画した受像機予約番組及びレコーダ予約番組を録画後に視聴しないまま消去することで、あたかも録画が失敗したようになることをほぼ確実に防止することができる。
【０１０７】
これに加えてテレビジョン受像機２は、表示部２０に録画不可能状態を通知する予約一覧画面５１乃至５８を表示している状態で録画不可能状態が改善されたときには、当該予約一覧画面５１乃至５８から第１乃至第３の受像機状態通知アイコン４４乃至４６及び第１乃至第４のレコーダ状態通知アイコン４７乃至５０を消去するようにしたことにより、ユーザに録画不可能状態から録画可能状態への移行を迅速に通知して確認させることができる。
【０１０８】
なお上述の実施の形態においては、予約一覧画面５１乃至５８内において予約情報表示欄４１Ａ及び４１Ｆの録画機器状態通知部４１ＡＺ及び４１ＦＺに単に第１乃至第３の受像機状態通知アイコン４４乃至４６及び第１乃至第４のレコーダ状態通知アイコン４７乃至５０を表示するようにした場合について述べたが、本発明はこれに限らず、予約一覧画面５１乃至５８内において予約情報表示欄４１Ａ及び４１Ｆの録画機器状態通知部４１ＡＺ及び４１ＦＺに第１乃至第３の受像機状態通知アイコン４４乃至４６及び第１乃至第４のレコーダ状態通知アイコン４７乃至５０を点滅表示するようにしても良く、このようにすれば、第１乃至第３の受像機状態通知アイコン４４乃至４６及び第１乃至第４のレコーダ状態通知アイコン４７乃至５０の表示を目立たせて、テレビジョン受像機２及びハードディスクレコーダ６の録画不可能状態をほぼ確実に通知することができる。
【０１０９】
また上述の実施の形態においては、予約情報の一覧表示の要求に応じて表示部２０に表示した予約一覧画面５１乃至５８により、テレビジョン受像機２及びハードディスクレコーダ６の録画不可能状態を通知するようにした場合について述べたが、本発明はこれに限らず、テレビジョン受像機２が起動した時点に表示部２０に予約一覧画面５１乃至５８を自動的に表示して録画不可能状態を通知するようにしても良く、このようにすれば、上述した実施の形態よりもテレビジョン受像機２及びハードディスクレコーダ６の録画不可能状態を確実にユーザに通知することができ、かくしてテレビジョン受像機２及びハードディスクレコーダ６による受像機予約番組及びレコーダ予約番組の録画の失敗をさらに低減することができる。
【０１１０】
さらに上述の実施の形態においては、本発明による状態通知装置を図１乃至図１６について上述した番組録画システム１に適用するようにした場合について述べたが、本発明はこれに限らず、ＢＳ（Broadcasting Satellite）デジタル放送、ＣＳ（Communication Satellite ）デジタル放送及び又は地上アナログテレビジョン放送を受信して番組を録画可能なテレビジョン受像機やハードディスクレコーダ、デジタルビデオカセットレコーダ、ＤＶＤ（Digital Versatile Disc）レコーダ、またテレビジョン放送の受信機能を有するコンピュータ及び携帯電話機、ＰＤＡ（Personal Digital Assistance ）、録画機能をもたないテレビジョン受像機等のように、この他種々の状態通知装置に広く適用することができる。
【０１１１】
そして本願発明をデジタルビデオカセットレコーダに適用した場合は、ビデオカセットの未装填や追加記録禁止用に折ることが可能なつめの有無、テープの巻き終わり等により録画不可能状態であると判別し、またＤＶＤレコーダを適用した場合は、ＤＶＤの未装填や空領域不足等により録画不可能状態であると判別するようにすれば良い。
【０１１２】
さらに上述の実施の形態においては、事前に録画予約した予約番組を録画する録画機器として、図１乃至図１６について上述したテレビジョン受像機２及びハードディスクレコーダ６を適用するようにした場合について述べたが、本発明はこれに限らず、ＢＳデジタル放送、ＣＳデジタル放送及び又は地上アナログテレビジョン放送を受信して番組を録画可能なテレビジョン受像機やハードディスクレコーダ、デジタルビデオカセットレコーダ、ＤＶＤレコーダ、コンピュータ、携帯電話機、ＰＤＡ等のように、この他種々の録画機器を広く適用することができる。
【０１１３】
さらに上述の実施の形態においては、事前に録画予約した予約番組を録画する録画機器が当該予約番組の録画に対して録画不可能状態であるか否かを判別する状態判別手段として、図１乃至図１６について上述した中央処理ユニット１０を適用するようにした場合について述べたが、本発明はこれに限らず、録画機器個々の制御部や、録画機能をもたないテレビジョン受像機２の中央処理ユニット等のように、この他種々の状態判別手段を広く適用することができる。
【０１１４】
さらに上述の実施の形態においては、状態判別手段により録画機器が録画不可能状態と判別されると、当該録画不可能状態を示す状態通知表示子を表示する表示手段として、図１乃至図１６について上述したテレビジョン受像機２の表示部２０を適用するようにした場合について述べたが、本発明はこれに限らず、ハードディスクレコーダ６等の録画機器に設けられた動作状態確認用の表示部等のように、この他種々の表示手段を広く適用することができる。
【０１１５】
さらに上述の実施の形態においては、録画予約した予約番組の予約情報を記憶する記憶手段として、図１乃至図１６について上述したテレビジョン受像機２の記憶部２３を適用するようにした場合について述べたが、本発明はこれに限らず、ハードディスクレコーダ６等の録画機器に設けられたハードディスク等の記録媒体のように、この他種々の記憶手段を広く適用することができる。
【産業上の利用可能性】
【０１１６】
本発明は、テレビジョン受像機やハードディスクレコーダ、ＤＶＤレコーダ等の状態通知装置に利用することができる。
【図面の簡単な説明】
【０１１７】
【図１】本発明による番組録画システムの全体構成の一実施の形態を示す略線的斜視図である。
【図２】テレビジョン受像機及びハードディスクレコーダの回路構成を示すブロック図である。
【図３】録画機器状態通知処理手順を示すフローチャートである。
【図４】録画機器状態通知処理手順の第１のサブルーチンを示すフローチャートである。
【図５】録画機器状態通知処理手順の第２のサブルーチンを示すフローチャートである。
【図６】予約一覧画面の構成を示す略線図である。
【図７】受像機状態通知アイコンの種類の説明に供する略線図である。
【図８】レコーダ状態通知アイコンの種類の説明に供する略線図である。
【図９】テレビジョン受像機のメモリ未装填による録画不可能状態を通知する予約一覧画面の説明に供する略線図である。
【図１０】テレビジョン受像機の追加記録禁止設定による録画不可能状態を通知する予約一覧画面の説明に供する略線図である。
【図１１】テレビジョン受像機のメモリ空領域不足による録画不可能状態を通知する予約一覧画面の説明に供する略線図である。
【図１２】テレビジョン受像機の追加記録禁止設定及びメモリ空領域不足による録画不可能状態を通知する予約一覧画面の説明に供する略線図である。
【図１３】ハードディスクレコーダのレコーダ未接続による録画不可能状態を通知する予約一覧画面の説明に供する略線図である。
【図１４】ハードディスクレコーダの機器交換による録画不可能状態を通知する予約一覧画面の説明に供する略線図である。
【図１５】ハードディスクレコーダの通信エラーによる録画不可能状態を通知する予約一覧画面の説明に供する略線図である。
【図１６】ハードディスクレコーダのディスク空領域不足による録画不可能状態を通知する予約一覧画面の説明に供する略線図である。
【符号の説明】
【０１１８】
１……番組録画システム、２……テレビジョン受像機、３……メモリスティック、５……シリアルバス、６……ハードディスクレコーダ、１０……中央処理ユニット、２０……表示部、３１……ハードディスクドライブ、４０、５１乃至５８……予約一覧画面、４１Ａ乃至４１Ｆ……予約情報表示欄、４１ＡＺ乃至４１ＦＺ……録画機器状態通知部、４４……第１の受像機状態通知アイコン、４５……第２の受像機状態通知アイコン、４６……第３の受像機状態通知アイコン、４７……第１のレコーダ状態通知アイコン、４８……第２のレコーダ状態通知アイコン、４９……第３のレコーダ状態通知アイコン、５０……第４のレコーダ状態通知アイコン、ＲＴ１……録画機器状態通知処理手順、ＳＲＴ１……第１のサブルーチン、ＳＲＴ２……第２のサブルーチン。
【図１】
2005080005.tif 000003
【図２】
2005080005.tif 000004
【図３】
2005080005.tif 000005
【図４】
2005080005.tif 000006
【図５】
2005080005.tif 000007
【図６】
2005080005.tif 000008
【図７】
2005080005.tif 000009
【図８】
2005080005.tif 000010
【図９】
2005080005.tif 000011
【図１０】
2005080005.tif 000012
【図１１】
2005080005.tif 000013
【図１２】
2005080005.tif 000014
【図１３】
2005080005.tif 000015
【図１４】
2005080005.tif 000016
【図１５】
2005080005.tif 000017
【図１６】
2005080005.tif 000018